(57)【要約】      （修正有）【課題】貼着部位の血行が良くなり、貼付時に痛みを伴わず、かつ使用中に貼着による圧迫感が少なく、皮膚との接触面積が大きく、使用中に経絡のツボからずれにくい貼付治療具および貼付治療具ユニットを提供する。【解決手段】皮膚と接触することで微弱電流を発生させ、かつ同一金属からなる複数枚の金属膜１１が積層された金属膜積層体１２と、この金属膜積層体１２が粘着面の中心部に貼着された粘着シート１３とを備えた貼付治療具１０とした。その結果、これを身体の例えば経絡のツボに貼着することで、生体電流の乱れを整えて貼着部位の血行をよくすることができ、貼付時に痛みを伴わず、かつ使用中に貼着による圧迫感がほとんどなく、皮膚との接触面積が大きくて、使用中に経絡のツボからずれにくくなる。【選択図】図１
0003179639.tif 000002
【実用新案登録請求の範囲】
【請求項１】
皮膚と接触することで微弱電流を発生させ、かつ同一金属からなる複数枚の金属膜が積層された金属膜積層体と、
該金属膜積層体が粘着面の中央部に貼着された粘着シートとを備えた貼付治療具。
【請求項２】
皮膚と接触することで微弱電流を発生させる同一金属からなる複数枚の第１の金属膜が積層された第１の金属膜積層体と、
該第１の金属膜積層体が粘着面の中央部に貼着された第１の粘着シートとを有する第１の貼付治療具と、
皮膚と接触することで微弱電流を発生させて、前記第１の金属膜積層体とは異なる同一金属からなる複数枚の第２の金属膜が積層された第２の金属膜積層体と、
該第２の金属膜積層体が粘着面の中央部に貼着された第２の粘着シートとを有する第２の貼付治療具とを備えた貼着治療具ユニット。
【考案の詳細な説明】
【技術分野】
【０００１】
この考案は貼付治療具および貼付治療具ユニット、詳しくは例えば耳つぼへの刺激によるダイエット（痩身）や、肩こり、腰痛などの治療に利用される貼付治療具および貼付治療具ユニットに関する。
【背景技術】
【０００２】
従来、肩こり、腰痛などの筋肉痛の治療に利用される貼付治療具の一種として、例えば特許文献１に記載された「磁気治療具」が知られている。これは、直径約２０ｍｍの布製の基材の下面に設けられた粘着剤層のほぼ中央に８０〜１８０ミリテスラの磁場の強さを有する直径約５ｍｍ、厚さ約２．５ｍｍのフェライト磁石からなる円盤状の粒状磁石体が設けられ、粒状磁石体を除く粘着剤層上に剥離紙が取り外し自在に設けられたものである。使用時には剥離紙を剥がし、粒状磁石体を「こり」が発生した身体の部位（経絡のツボ）にあてがい、粘着剤層の粘着力により基材を皮膚に貼ることで、突起状の粒状磁石体によるツボ押し効果と、８０〜１８０ミリテスラの磁場（静磁場）を「こり」が発生した筋肉組織の部位に作用させて血行を良くし、患部の「こり」を改善する。
【先行技術文献】
【特許文献】
【０００３】
【特許文献１】特開平１１−２９０４６５号公報
【考案の概要】
【考案が解決しようとする課題】
【０００４】
しかしながら、特許文献１の「磁気治療具」は、このように突起状の粒状磁石体を皮膚に押し付けた状態で基材を皮膚に貼るため、貼付した際に痛みを伴うとともに、常時、貼着部位に圧迫感があり、使用中、磁気治療具を押した際などに皮膚を傷つけて炎症を起こし、細菌に感染するおそれもあった。しかも、粒状磁石体は粒状であるため、接触面積が小さく、使用中に経絡のツボから粒状磁石体が位置ずれし易かった。
【０００５】
この考案は、生体電流の乱れを整えて貼着部位の血行をよくすることができ、貼付時に痛みを伴わず、かつ使用中に貼着による圧迫感がほとんどなく、皮膚との接触面積が大きくて、使用中に経絡のツボからずれにくい貼付治療具および貼付治療具ユニットを提供することを目的としている。
【課題を解決するための手段】
【０００６】
請求項１に記載の考案は、皮膚と接触することで微弱電流を発生させ、かつ同一金属からなる複数枚の金属膜が積層された金属膜積層体と、該金属膜積層体が粘着面の中央部に貼着された粘着シートとを備えた貼付治療具である。
【０００７】
ここでいう「皮膚と接触することで微弱電流を発生させる」とは、人体の皮膚を導電体として、これに接触する面から電子を皮膚に放出することをいう。
ここでいう「微弱電流を発生させる金属」は限定されない。例えば、金、白金（プラチナ）、銀、チタンなどが挙げられる。これらは電気的良導体であり、皮膚と接触することで人体における接触（貼着）部位の電気的平衡バランスの歪みを補正するとともに、その部位を流れる体液の分子構造も小さくして、体液の体内循環作用を改善する。金属膜の素材である金属の純度は９９．９％以上、好ましくは９９．９９９％以上である。
金属膜の１枚の厚さは限定されない。例えば、数μｍ〜３００μｍ、好ましくは１０μｍ〜２００μｍである。金属膜の積層枚数は複数（例えば３〜５枚）であれば任意である。
【０００８】
金属膜の平面視した形状は限定されないものの、一般的には円形である。円形のものの場合、金属膜の大きさは例えば直径１ｍｍ〜１．５ｍｍである。
金属膜積層体の厚さは限定されないものの、例えば１０μｍ〜１ｍｍである。
粘着シートとしては、例えば、ポリウレタンなどのプラスチック製のシート（フィルム）の裏面に、アクリル系などの粘着剤が塗布されたものである。粘着剤は耐水性を有したものが好ましい。
粘着シートの裏面（粘着面）には剥離紙が貼着される。剥離紙としては、例えば、上質紙などの基材の表面に、ポリエチレンなどの目止め層を介してシリコーン樹脂などの剥離層が積層されたものを採用することができる。剥離紙は、粘着治療具に１対１の関係で使用しても、複数の粘着治療具に対して、１枚の大判の剥離紙を使用してもよい。
【０００９】
請求項２に記載の考案は、皮膚と接触することで微弱電流を発生させる同一金属からなる複数枚の第１の金属膜が積層された第１の金属膜積層体と、該第１の金属膜積層体が粘着面の中央部に貼着された第１の粘着シートとを有する第１の貼付治療具と、皮膚と接触することで微弱電流を発生させて、前記第１の金属膜積層体とは異なる同一金属からなる複数枚の第２の金属膜が積層された第２の金属膜積層体と、該第２の金属膜積層体が粘着面の中央部に貼着された第２の粘着シートとを有する第２の貼付治療具とを備えた貼着治療具ユニットである。
【００１０】
第１の金属膜の素材と第２の金属膜の素材としては、互いに異なる金属であれば任意である。例えば、第１の金属膜が金、白金、銀、チタンの何れかで、第２の金属膜が金、白金、銀、チタンのうち、第１の金属膜を除いた金属の中から選出された１つという組み合わせを採用することができる。具体的には、第１の金属膜が金、第２の金属膜が銀の組み合わせ、第１の金属膜が白金、第２の金属膜がチタンの組み合わせなどを採用することができる。
【考案の効果】
【００１１】
請求項１に記載の考案によれば、剥離紙から剥がした貼着治療具を、例えば経絡のツボに貼着する。これにより、金属膜積層体の最下層の金属膜が皮膚に接触し、金属膜積層体から発生した微弱電流が貼着部位に作用し、その貼着部位の生体電流の乱れが整えられて血行が良くなる。その結果、例えば経絡のツボに対して、鍼灸などによるツボ刺激時と同等の効果が得られる。しかも、この微弱電流を発生させる金属は、体液の分子構造も小さくする。これにより、体液の体内循環作用を改善する。特に、この金属膜の素材が金の場合には、皮膚と接触することで微弱電流を発生させる他の金属より多くの電子を放出することで、他の金属に比べて生体電流（１００μＡ〜２００μＡ）に、より近い微弱電流を発生させるために最適である。また、金属膜の素材が銀の場合には、プラス荷電された銀イオンが、マイナス荷電された菌に付着して、菌を死滅させることで、除菌作用を発揮する。
また、貼着治療具は、特許文献１の粒状磁石体のように表面が隆起した粒状ではなく、この考案の金属膜積層体の皮膚と接触する最下層の表面は平坦となっている。そのため、貼付時に痛みを伴わず、かつ使用中に貼着による圧迫感もほとんどなく、貼着中、仮に貼着治療具を押しても皮膚を傷つけて炎症を起こすことがなく、この炎症を原因とした細菌感染も生じない。しかも、皮膚との接触面積が大きく、使用中に経絡のツボからずれにくい。
【００１２】
また、請求項２に記載の考案によれば、第１の貼着治療具を、例えば経絡のツボに貼着するとともに、第２の貼着治療具を、そのツボ付近の別の経絡のツボに貼着する。これにより、上述した金属膜積層体から発生した微弱電流の作用によって、両ツボ一帯の生体電流の乱れが整えられ、血行が良くなる。その結果、各ツボに対して、鍼灸などによるツボ刺激時と同等の効果を得ることができる。しかも、第１の金属膜積層体と第２の金属膜積層体との間には微弱電流が流れる。その結果、両ツボ一帯の血行がさらに良好となり、前記ツボ刺激の効果がより以上に高まる。
【図面の簡単な説明】
【００１３】
【図１】この考案の実施例１に係る貼着治療具の一部拡大図を含む縦断面図である。
【図２】この考案の実施例１に係る貼着治療具を剥離紙から剥がした状態を示す斜視図である。
【図３】この考案の実施例１に係る貼着治療具の耳への使用状態の正面図である。
【図４】（ａ）は、この考案の実施例２に係る貼着治療具ユニットの一部を構成する第１の貼着治療具の一部拡大図を含む縦断面図である。（ｂ）は、この考案の実施例２に係る貼着治療具ユニットの一部を構成する第２の貼着治療具の一部拡大図を含む縦断面図である。
【図５】この考案の実施例２に係る貼着治療具ユニットの耳への使用状態の正面図である。
【考案を実施するための形態】
【００１４】
以下、この考案の実施例を具体的に説明する。ここでは、耳の痩身のツボを刺激するための貼着治療具および貼着治療具ユニットを例とする。
【実施例】
【００１５】
図１において、１０はこの考案の実施例１に係る貼着治療具で、この貼着治療具１０は、皮膚と接触することで微弱電流を発生させ、かつ同一金属からなる複数枚の金属膜１１が積層された金属膜積層体１２と、金属膜積層体１２が粘着面の中央部に貼着された粘着シート１３とを備えたものである。
以下、図１および図２を参照してこれらの構成体を具体的に説明する。
金属膜１１は、厚さ１０μｍ、直径１ｍｍの純度９９．９９％（２４ｋ）の金の薄膜で、これを４枚重ね合わせることで、厚さ４０μｍの金属膜積層体１２が形成される（図１の部分拡大図）。
粘着シート１３は、ポリウレタン製の厚さ３００μｍ、直径３ｍｍの円形の基材シートの裏面に、耐水性を有したアクリル系粘着剤からなる粘着層ａが積層されたものである。この粘着シート１３の中央部には、金属膜積層体１２が貼着されている。貼着治療具１０は、平面視して矩形状の１枚の大判の剥離紙１４の表面に、縦横一定ピッチの格子配列で複数枚が貼着されている。
【００１６】
次に、図１〜図３を参照して、この考案の実施例１に係る貼着治療具１０を使用し、耳の痩身のツボを刺激する方法を説明する。
図２に示すように、剥離紙１４から剥がした貼着治療具１０を、耳の痩身（経絡）のツボの一つである胃、飢点、神門の何れか（ここでは胃）に貼着する（図３）。これにより、金属膜積層体１２の最下層の金属膜１１が皮膚に接触し、金属膜積層体１２から発生した微弱電流が貼着部位に作用し、その貼着部位の生体電流の乱れが整えられて血行が良くなる。その結果、耳の胃のツボに対して、鍼灸や指圧などによるツボ刺激時と同等の効果が得られる。しかも、この金は体液の分子構造も小さくするため、体液の体内循環作用を改善することができる。また、金の場合、他の金属より多くの電子を放出するため、他の金属に比べて生体電流（１００μＡ〜２００μＡ）に、より近い微弱電流を発生させる。これにより、生体電流の乱れを整える効果が高い。
また、貼着治療具１０は、厚さ１０μｍで２４ｋの金属膜１１を４枚重ねて４０μｍの金属膜積層体１２としている。しかも、特許文献１の粒状磁石体のように表面が隆起した粒状ではなく、金属膜積層体１２の皮膚と接触する最下層の金属膜１１の表面は平坦となっている。そのため、貼付時に痛みを伴わず、かつ使用中に貼着による圧迫感もほとんどなく、使用中、仮に貼着治療具１０を押しても皮膚を傷つけて炎症を起こすことがなく、この炎症を原因とした細菌感染も生じない。さらに、皮膚との接触面積が大きく、使用中に胃のツボからずれにくい。
【００１７】
次に、図４および図５を参照して、この考案の実施例２に係る貼着治療具ユニット２０を説明する。
図４に示すように、実施例２に係る貼着治療具ユニット２０の特徴は、実施例１と同一の金からなる金属膜１１Ａを４枚積層した第１の金属膜積層体１２Ａを有する第１の貼着治療具１０Ａ（図４（ａ））と、微弱電流を発生させる直径１ｍｍ、厚さ１０μｍ、純度９９．９９％の銀(金属)からなる第２の金属膜１１Ｂを４枚積層した総厚４０μｍの第２の金属膜積層体１２Ｂを有する第２の貼着治療具１０Ｂ（図４（ｂ））を使用することで、第１の金属膜１１Ａの素材である金と、第２の金属膜１１Ｂの素材である銀との間でさらに微弱電流が流れ、実施例１の１枚のみの貼付治療具１０を使用する場合に比べて、高い痩身効果が得られる点である。
【００１８】
図５に示すように、貼着治療具ユニット２０の使用時には、第１の貼着治療具１０Ａを、例えば、耳の痩身のツボのうち、「胃」のツボに貼着するとともに、第２の貼着治療具１０Ｂを、耳の痩身のツボのうち、「神門」のツボに貼着する。これにより、第１の金属膜積層体１２Ａおよび第２の金属膜積層体１２Ｂからそれぞれ発生した微弱電流の作用によって、両ツボ一帯の生体電流の乱れが整えられ、血行が良くなる。その結果、「胃」と「神門」との各ツボを刺激して、ツボ押し時と同等の痩身の効果が得られる。しかも、第１の金属膜積層体１２Ａと第２の金属膜積層体１２Ｂとの間には、第１の金属膜１１Ａの素材である金と、第２の金属膜１１Ｂの素材である銀との間で微弱電流が流れる。その結果、両ツボ一帯の血行がさらに良好となり、痩身の効果がより以上に高まる。
また、第２の金属膜１１Ｂの素材として銀を採用したため、プラス荷電された銀イオンが、マイナス荷電された菌に付着して、菌を死滅させることで、除菌作用も発揮する。なお、図示しないものの、第１の貼着治療具１０Ａおよび第２の貼着治療具１０Ｂは、実施例１の貼付治療具１０の場合と同じように、平面視して矩形状の１枚の大判の剥離紙１４の表面に、縦横一定ピッチの格子配列で複数枚ずつ貼着されている。
その他の構成、作用および効果は、実施例１と略同じであるために説明を省略する。
【産業上の利用可能性】
【００１９】
この考案の貼着治療具および貼着治療具ユニットは、例えば耳ツボダイエット用の技術として有用である。
【符号の説明】
【００２０】
１０  貼付治療具、
１０Ａ  第１の貼付治療具、
１０Ｂ  第２の貼付治療具、
１１  金属膜、
１１Ａ  第１の金属膜、
１１Ｂ  第２の金属膜、
１２  金属膜積層体、
１２Ａ  第１の金属膜積層体、
１２Ｂ  第２の金属膜積層体、
１３  粘着シート、
１４  剥離紙、
２０  貼着治療具ユニット。
【図１】
0003179639.tif 000003
【図２】
0003179639.tif 000004
【図３】
0003179639.tif 000005
【図４】
0003179639.tif 000006
【図５】
0003179639.tif 000007